【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
送信装置がデータユニットを送信する方法であって、
第１サービスデータユニット（ｓｅｒｖｉｃｅ  ｄａｔａ  ｕｎｉｔ、ＳＤＵ）要素に対するそれぞれのシーケンス番号を含む第１プロトコルデータユニット（ｐｒｏｔｏｃｏｌ  ｄａｔａ  ｕｎｉｔ、ＰＤＵ）と
前記第１ＳＤＵ要素を生成する段階と、
前記第１ＰＤＵを送信する段階と、
第２ＳＤＵ要素に対するシーケンス番号と前記第２ＳＤＵ要素を含む第２ＰＤＵを生成する段階と、
前記第２ＰＤＵを送信する段階とを含み、
前記第１ＳＤＵ要素及び前記第２ＳＤＵ要素のそれぞれはＳＤＵ又はＳＤＵセグメントであり、
前記第１ＰＤＵは前記第１ＳＤＵ要素のそれぞれに対する指示子を含み、前記第１ＳＤＵ要素のそれぞれに対する前記指示子は対応する第１ＳＤＵ要素がＳＤＵであるか又はＳＤＵセグメントであるかについての情報である、
前記第１ＰＤＵは、前記第１ＳＤＵ要素の一つとして第１ＳＤＵの第１ＳＤＵセグメントを含み、前記第２ＰＤＵは前記第２ＳＤＵ要素として前記第１ＳＤＵの第２ＳＤＵセグメントを含み、
前記第１ＰＤＵ内に含まれる前記第１ＳＤＵセグメントに対する前記シーケンス番号と前記第２ＰＤＵ内に含まれる前記第２ＳＤＵセグメントに対するシーケンス番号は同一である、データユニット送信方法。
【請求項２】
前記第１ＳＤＵ要素に前記第１ＳＤＵ要素に対する前記シーケンス番号をそれぞれ付け加えるステップと、
前記第２ＳＤＵ要素に前記第２ＳＤＵ要素に対する前記シーケンス番号を付け加えるステップとをさらに含む、請求項１に記載のデータユニット送信方法。
【請求項３】
前記第１ＰＤＵは原本（ｏｒｉｇｉｎａｌ）ＳＤＵ内の前記第１ＳＤＵセグメントの位置についての情報をさらに含む、請求項１に記載のデータユニット送信方法。
【請求項４】
前記原本ＳＤＵ内の前記第１ＳＤＵセグメントの位置についての前記情報は前記原本ＳＤＵ内の前記第１ＳＤＵセグメントのセグメント順に相当する、請求項３に記載のデータユニット送信方法。
【請求項５】
前記第１ＳＤＵセグメント及び前記第２ＳＤＵセグメントに対する前記シーケンス番号のそれぞれは対応するＳＤＵを特異的に識別する、請求項１に記載のデータユニット送信方法。
【請求項６】
前記第１ＳＤＵセグメントに対するシーケンス番号は前記第１ＳＤＵセグメントが由来したＳＤＵを識別する、請求項１に記載のデータユニット送信方法。
【請求項７】
前記第１ＰＤＵは前記第１ＳＤＵ要素のそれぞれに対してフレーミング情報（ｆｒａｍｉｎｇ  ｉｎｆｏ、ＦＩ）フィールドをさらに含み、
前記第１ＳＤＵ要素のそれぞれに対する前記ＦＩフィールドは、対応ＳＤＵ要素の最初のバイトが対応原本ＳＤＵの最初のバイトであるか、及び前記対応ＳＤＵ要素の最後のバイトが前記対応原本ＳＤＵの最後のバイトであるについての情報である、請求項１に記載のデータユニット送信方法。
【請求項８】
前記第１ＳＤＵ要素は前記第１ＳＤＵ要素に対する前記シーケンス番号の順に前記第１ＰＤＵ内に位置する、請求項１に記載のデータユニット送信方法。
【請求項９】
前記第１ＰＤＵは二つのＳＤＵセグメントを含み、前記二つのＳＤＵセグメントは前記二つのＳＤＵセグメントに対するシーケンス番号の順に前記第１ＰＤＵ内に位置する、請求項１に記載のデータユニット送信方法。
【請求項１０】
前記第１ＳＤＵは無線リンク制御（ＲＬＣ）ＳＤＵであり、前記第１ＳＤＵセグメント及び前記第２ＳＤＵセグメントのそれぞれはＲＬＣ  ＳＤＵセグメントであり、前記第１ＰＤＵ及び前記第２ＰＤＵはメディアアクセス（ＭＡＣ）ＰＤＵである、請求項１に記載のデータユニット送信方法。
【請求項１１】
データユニットを送信する送信装置であって、
送受信機と、
前記送受信機を制御するように構成されたプロセッサを含み、
前記プロセッサは、
第１サービスデータユニット（ｓｅｒｖｉｃｅ  ｄａｔａ  ｕｎｉｔ、ＳＤＵ）要素に対するそれぞれのシーケンス番号を含む第１プロトコルデータユニット（ｐｒｏｔｏｃｏｌ  ｄａｔａ  ｕｎｉｔ、ＰＤＵ）及び、
前記第１ＳＤＵ要素を生成し、
前記第１ＰＤＵを送信するように前記送受信機を制御し、
第２ＳＤＵ要素に対するシーケンス番号と第２ＳＤＵ要素を含む第２ＰＤＵを生成し、
前記送受信機が前記第２ＰＤＵを送信するように制御し、 前記第１ＳＤＵ要素及び前記第２ＳＤＵ要素のそれぞれはＳＤＵ又はＳＤＵセグメントであり、
前記第１ＰＤＵは第１ＳＤＵセグメントのそれぞれに対する指示子を含み、前記第１ＳＤＵ要素のそれぞれに対する前記指示子は対応する第１ＳＤＵ要素がＳＤＵであるか又はＳＤＵセグメントであるかについての情報である、
前記第１ＰＤＵは第１ＳＤＵの第１ＰＤＵセグメントを前記第１ＳＤＵ要素の一つとして含み、前記第２ＰＤＵは第１ＳＤＵの第２ＳＤＵセグメントを前記第２ＳＤＵ要素として含み、
前記第１ＰＤＵに含まれる前記第１ＳＤＵに対する前記シーケンス番号と、前記第２ＰＤＵに含まれる前記第２ＳＤＵセグメントに対する前記シーケンス番号は同一である、送信装置。
【請求項１２】
前記プロセッサは、前記第１ＳＤＵ要素に前記第１ＳＤＵ要素に対する前記シーケンス番号をそれぞれ付け加え、
前記プロセッサは、前記第２ＳＤＵ要素に前記第２ＳＤＵ要素に対する前記シーケンス番号を付け加える、請求項１１に記載の送信装置。
【請求項１３】
前記第１ＰＤＵは原本（ｏｒｉｇｉｎａｌ）ＳＤＵ内の前記第１ＳＤＵセグメントの位置についての情報をさらに含む、請求項１１に記載の送信装置。
【請求項１４】
原本（ｏｒｉｇｉｎａｌ）ＳＤＵ内の前記第１ＳＤＵセグメントの位置についての前記情報は前記原本ＳＤＵ内の前記第１ＳＤＵセグメントのセグメント順に相当する、請求項１３に記載の送信装置。
【請求項１５】
前記第１ＳＤＵ要素及び前記第２ＳＤＵ要素に対する前記シーケンス番号のそれぞれは対応ＳＤＵを特異的に識別する、請求項１１に記載の送信装置。
【請求項１６】
前記第１ＳＤＵセグメントに対する前記シーケンス番号は前記第１ＳＤＵセグメントが由来したＳＤＵを識別する、請求項１１に記載の送信装置。
【請求項１７】
前記第１ＰＤＵは前記第１ＳＤＵ要素のそれぞれに対してフレーミング情報（ｆｒａｍｉｎｇ  ｉｎｆｏ、ＦＩ）フィールドをさらに含み、
前記第１ＳＤＵ要素のそれぞれに対する前記ＦＩフィールドは対応ＳＤＵ要素の最初のバイトが対応原本ＳＤＵの最初のバイトであるか及び前記対応ＳＤＵ要素の最後のバイトが前記対応原本ＳＤＵの最後のバイトであるかについての情報である、請求項１１に記載の送信装置。
【請求項１８】
前記第１ＳＤＵ要素は前記第１ＳＤＵ要素に対するシーケンス番号の順に前記第１ＰＤＵ内に位置する、請求項１１に記載の送信装置。
【請求項１９】
前記第１ＰＤＵは二つのＳＤＵセグメントを含み、前記二つのＳＤＵセグメントは前記二つＳＤＵセグメントに対するシーケンス番号の順に前記第１ＰＤＵ内に位置する、請求項１１に記載の送信装置。
【請求項２０】
前記第１ＳＤＵはＲＬＣ  ＳＤＵであり、前記第１ＳＤＵセグメント及び前記第２ＳＤＵセグメントはＲＬＣ  ＳＤＵセグメントであり、前記第１ＰＤＵ及び前記第２ＰＤＵのそれぞれはメディアアクセスコントロール（ＭＡＣ）ＰＤＵである、請求項１１に記載の送信装置。